(57)【要約】【課題】ＰＣ（コンピュータ）よりも先にプロジェクタ（投射型表示装置）の電源がオフされてしまうという事態を防止することができる。【解決手段】入力された画像信号に基づいて画像を投射面に投射する投射型表示装置において、装置本体の電源をオフさせる操作を受付ける操作部と、前記画像信号の入力の有無を確認する入力信号確認部と、前記操作部により装置本体の電源をオフさせる操作が受付けられ、前記入力信号確認部により前記画像信号の入力が有ると確認されたとき、装置本体の電源をオフさせずに、前記画像信号の入力が有る旨の警告を発する制御部と、を備える。【選択図】      図１
2005031413.tif 000002
【特許請求の範囲】
【請求項１】
入力された画像信号に基づいて画像を投射面に投射する投射型表示装置において、
装置本体の電源をオフさせる操作を受付ける操作部と、
前記画像信号の入力の有無を確認する入力信号確認部と、
前記操作部により装置本体の電源をオフさせる操作が受付けられ、前記入力信号確認部により前記画像信号の入力が有ると確認されたとき、装置本体の電源をオフさせずに、前記画像信号の入力が有る旨の警告を発する制御部と、を備える投射型表示装置。
【請求項２】
前記制御部により前記警告が発せられた際、前記画像信号に基づいて生成された画像上に、前記警告に対応した警告メッセージを、重ねて表示させることを特徴とする請求項１に記載の投射型表示装置。
【請求項３】
前記制御部により前記警告が発せられた際、警告音または警告音声を発生することを特徴とする請求項１または２に記載の投射型表示装置。
【請求項４】
前記制御部は、前記警告を発した後、前記入力信号確認部により前記画像信号の入力が無いと確認されたとき、装置本体の電源をオフさせることを特徴とする請求項１〜３のいずれか１つに記載の投射型表示装置。
【請求項５】
前記画像信号は、コンピュータから所定周期で順次入力されるもので、前記入力信号確認部は、所定時間内に前記画像信号が入力されたか否かを確認することを特徴とする請求項１〜４のいずれか１つに記載の投射型表示装置。
【請求項６】
画像信号を生成して出力するコンピュータと、
前記コンピュータから出力された前記画像信号に基づいて画像を投射面に投射する投射部と、投射型表示装置本体の電源をオフさせる操作を受付ける操作部と、前記画像信号の入力の有無を確認する入力信号確認部と、前記操作部により前記投射型表示装置本体の電源をオフさせる操作が受付けられ、前記入力信号確認部により前記画像信号の入力が有ると確認されたとき、前記投射型表示装置本体の電源をオフさせずに、前記画像信号の入力が有る旨の警告を発する制御部と、を備える投射型表示装置と、を具備する投射型表示システム。
【請求項７】
前記コンピュータのシャットダウンは、投射面に投射された画像上の表示ボタンを用いて行なわれることを特徴とする請求項６に記載の投射型表示システム。
【請求項８】
画像信号を生成して出力するコンピュータと、
前記コンピュータから出力された前記画像信号に基づいて画像を投射面に投射する投射部と、投射型表示装置本体の電源をオフさせる操作を受付ける操作部と、前記画像信号の入力の有無を確認する入力信号確認部と、前記操作部により前記投射型表示装置本体の電源をオフさせる操作が受付けられ、前記入力信号確認部により前記画像信号の入力が有ると確認されたとき、前記投射型表示装置本体の電源をオフさせずに、前記コンピュータをシャットダウンさせるリクエストを出力する制御部と、を備える投射型表示装置と、を具備し、
前記コンピュータがシャットダウンした後に前記投射型表示装置本体の電源がオフされることを特徴とする投射型表示システム。
【発明の詳細な説明】
【０００１】
【発明の属する技術分野】
本発明は、液晶プロジェクタ、ＤＬＰ（Ｄｉｇｉｔａｌ  Ｌｉｇｈｔ  Ｐｒｏｃｅｓｓｉｎｇ）プロジェクタ等の投射型表示装置、さらには、投射型表示装置にパーソナルコンピュータ（ＰＣ）等のコンピュータが接続された投射型表示システムに関する。
【０００２】
【従来の技術】
一般に、プロジェクタの光源には、キセノンランプ、ハロゲンランプ、メタルハライドランプ等の放電ランプが用いられている。この放電ランプは、温度に対する制限が多く、点灯時および消灯時には多くの時間をかけて温度制御を行う必要がある。特に、一度放電ランプを消灯させると、その後すぐに、再点灯させることはできず、再点灯させる前にある程度待つ必要がある。
【０００３】
一方、従来技術として、特許文献１および特許文献２に記載されているように、プロジェクタを、投射画像の画像信号を出力するＰＣと接続して、１セットの投射型表示システムとして、ミーティングやプレゼンテーション等に利用することが多い。
【０００４】
このような投射型表示システムのＰＣとしてデスクトップ型のＰＣ本体等を用いた場合、ミーティングやプレゼンテーション等の終了後、先にプロジェクタの電源をオフしてしまうと、デスクトップ型のＰＣ本体には専用モニタが無いため、ＰＣ画面上の表示ボタンをクリックすることによるシャットダウンができなくなってしまうことになる。そのため、プロジェクタの電源を再びオンさせ、放電ランプを点灯させなければならないが、これには多くの時間が必要とされ、ユーザに対して使い勝手を悪くさせていた。
【０００５】
これに対し、従来のプロジェクタでは、図９で示すようにＳ９１およびＳ９２で電源オフ用の操作キーを２度押さなければ電源がオフしないといった２度押し機能や、電源オフ用の操作キーを所定時間押し続けなければ電源がオフしないといった長押し機能を持たせ、簡単なキー操作でプロジェクタの電源がオフしないようにする対策を講じてきた。
【０００６】
【特許文献１】
特開２００２−２５２８８０号公報
【特許文献２】
特開２００２−２９７１１９号公報
【０００７】
【発明が解決しようとする課題】
しかしながら、このような２度押し機能や長押し機能をプロジェクタに持たせても、ユーザは、プロジェクタの電源をオフしようとする際、無意識のうちに２度押しや長押しを行ってしまい、ＰＣよりも先にプロジェクタの電源がオフされＰＣのシャットダウンができなくなるという事態になってしまっていた。
【０００８】
そこで、本発明は、上記の課題を解決するためのもので、ＰＣ（コンピュータ）よりも先にプロジェクタ（投射型表示装置）の電源がオフされてしまうという事態を防止することを目的とする。
【０００９】
【課題を解決するための手段】
上記の目的を解決するために、本発明の第１の側面に係る投射型表示装置は、入力された画像信号に基づいて画像を投射面に投射する投射型表示装置において、装置本体の電源をオフさせる操作を受付ける操作部と、前記画像信号の入力の有無を確認する入力信号確認部と、前記操作部により装置本体の電源をオフさせる操作が受付けられ、前記入力信号確認部により前記画像信号の入力が有ると確認されたとき、装置本体の電源をオフさせずに、前記画像信号の入力が有る旨の警告を発する制御部と、を備えるものである。
【００１０】
さらに、前記制御部により前記警告が発せられた際、前記画像信号に基づいて生成された画像上に、前記警告に対応した警告メッセージを、重ねて表示させることを特徴とする。また、前記制御部により前記警告が発せられた際、警告音または警告音声を発生することを特徴とする。
【００１１】
さらにまた、前記制御部は、前記警告を発した後、前記入力信号確認部により前記画像信号の入力が無いと確認されたとき、装置本体の電源をオフさせることを特徴とする。
【００１２】
さらにまた、前記画像信号は、コンピュータから所定周期で順次入力されるもので、前記入力信号確認部は、所定時間内に前記画像信号が入力されたか否かを確認することを特徴とする。
【００１３】
本発明の第２の側面に係る投射型表示システムは、画像信号を生成して出力するコンピュータと、前記コンピュータから出力された前記画像信号に基づいて画像を投射面に投射する投射部と、投射型表示装置本体の電源をオフさせる操作を受付ける操作部と、前記画像信号の入力の有無を確認する入力信号確認部と、前記操作部により前記投射型表示装置本体の電源をオフさせる操作が受付けられ、前記入力信号確認部により前記画像信号の入力が有ると確認されたとき、前記投射型表示装置本体の電源をオフさせずに、前記画像信号の入力が有る旨の警告を発する制御部と、を備える投射型表示装置と、を具備するものである。
【００１４】
さらに、前記コンピュータのシャットダウンは、投射面に投射された画像上の表示ボタンを用いて行なわれることを特徴とする。
【００１５】
本発明の第３の側面に係る投射型表示システムは、画像信号を生成して出力するコンピュータと、前記コンピュータから出力された前記画像信号に基づいて画像を投射面に投射する投射部と、投射型表示装置本体の電源をオフさせる操作を受付ける操作部と、前記画像信号の入力の有無を確認する入力信号確認部と、前記操作部により前記投射型表示装置本体の電源をオフさせる操作が受付けられ、前記入力信号確認部により前記画像信号の入力が有ると確認されたとき、前記投射型表示装置本体の電源をオフさせずに、前記コンピュータをシャットダウンさせるリクエストを出力する制御部と、を備える投射型表示装置と、を具備し、前記コンピュータがシャットダウンした後に前記投射型表示装置本体の電源がオフされることを特徴とする。
【００１６】
【発明の実施の形態】
［実施例１］
まず、図１を用いて、実施例１に係るプロジェクタの構成を説明する。
【００１７】
図１において、プロジェクタ本体１は、ＣＰＵ２、画像信号処理部３、同期信号検出部４、警告メッセージを格納するＯＳＤ（Ｏｎ  Ｓｃｒｅｅｎ  Ｄｉｓｐｌａｙ）メモリ部５、ＯＳＤ処理部６、液晶パネル駆動部７、液晶パネル８、電源供給部９、バラスト（光源を駆動する電源回路）１０、光源（放電ランプ）１１、投射レンズ１２、各種操作キー１４、赤外線受光部（ＩＲ）１５、リモコン１６、画像入力端子１７により構成されている。
【００１８】
ＣＰＵ２は、ＲＯＭ等に格納された各種プログラムに従い、プロジェクタ本体１内の各部を制御する制御部である。画像信号処理部３は、画像入力端子１７を介してＰＣから所定周期で順次入力された画像信号に基づいて、各画像フレームのデータ処理を行い、各画素の階調を決定する。なお通常、ＰＣが画像信号を出力する周期、すなわち、フレームデータの更新周期（クレームレート）は、５０〜９０Ｈｚ程度であり、静止画像を投射表示させる場合も同じ画像信号を順次出力している。
【００１９】
同期信号検出部４は、入力された画像信号から水平同期信号および垂直同期信号を検出するもので、その検出結果に基づいて画像信号の入力の有無を確認する入力信号確認部を含む。画像信号の入力の有無は、ＰＣから入力される所定周期に応じた所定時間内に、画像信号から水平同期信号および垂直同期信号が検出されたか否かで、確認される。
【００２０】
ＯＳＤメモリ部５は、警告メッセージ等のデータを記憶するものであり、ＯＳＤ処理部６は、ＣＰＵ２からＯＳＤ表示の命令を受けると、ＯＳＤメモリ部５から記憶されたデータを読み出し、画像信号処理部３で処理されたデータに重畳させる演算処理を行い、一方、ＯＳＤ表示の命令が無い場合には、このような重畳演算処理を行わずに、画像信号処理部３で処理されたデータを液晶パネル駆動部７へ出力するものである。
【００２１】
液晶パネル駆動部７は、液晶パネル８の持つ電圧−透過率特性を考慮し、各画素の階調値を電圧値に変換して液晶パネル８に電圧印加し、液晶パネル８の各画素の光透過率を調整するものである。
【００２２】
電源供給部９は、バラスト１０、および、上記の各部（図中では矢印を省略）へ電源を供給するものである。放電ランプ１１は、バラスト１０により駆動され、発生した光は液晶パネル８を照射するものである。そして、液晶パネル８で各画素の階調に応じて光が絞られ、投射レンズ１２を通してスクリーン（投射面）１３に投射表示される。
【００２３】
操作キー１４、および、ＩＲ１５（リモコン１６での操作を受信する受信部）等の操作部は、プロジェクタ本体１の電源をオンまたはオフさせる操作を受付け、それをＣＰＵ２へ送信するものである。
【００２４】
次に、図２を用いて、実施例１に係る電源オフ処理動作を説明する。
【００２５】
初めに、プロジェクタの電源をオフさせるため、ユーザにより操作キー１４またはリモコン１６の電源キーが押下される（Ｓ２１）と、同期信号検出部４内の入力信号確認部によりＰＣからの画像信号入力の有無が確認される（Ｓ２２）。
【００２６】
画像信号の入力が有ると確認された場合、ＣＰＵ２は、ＯＳＤ処理部６に命じて、図８（ａ）に示すような画像信号の入力が有る旨の警告メッセージを、スクリーンに投射される投射画像上に重ねて表示させ、ユーザに知らせる（Ｓ２３）。この警告メッセージにより、ユーザは、ＰＣから画像信号が入力されているにもかかわらず、ＰＣよりも先にプロジェクタの電源をオフさせようと誤操作していることに気付く。この後、ユーザは、例えば再度電源キーを押下する等して投射画像上から警告メッセージのみを消し、その投射画像を用いてＰＣのシャットダウンを実行することができる。
【００２７】
一方、Ｓ２２で画像信号の入力が無いと確認された場合、Ｓ２３はスキップされ、警告メッセージは表示されない。
【００２８】
続いて、ユーザは、電源オフの最終確認として、再度電源キーを押下する（Ｓ２４）と、プロジェクタの電源がオフされる。
【００２９】
以上のように、電源をオフしようとする際に画像信号の入力が有る場合、ユーザは電源キーを３回押下する必要があり、無意識のうちに２度押しや長押しを行ってしまい、ＰＣよりも先にプロジェクタの電源をオフしてしまうという事態を防止することが実現される。
【００３０】
なお、本実施例１では、ユーザへの警告として、ＯＳＤ処理部６により投射画像上に警告メッセージを重ねて表示させるようにしたが、このような警告メッセージの代わりに、または、警告メッセージと併用させ、アラーム等の警告音や言語音声等の警告音声を発生させるようにしても良い。
【００３１】
［実施例２］
図３を用いて、実施例２に係る電源オフ処理動作を説明する。
【００３２】
本実施例２は、上記実施例１の変形例であり、最初に電源キーを押下してから警告メッセージが表示されるまでのステップ（Ｓ３１〜Ｓ３３）は、上記実施例１におけるＳ２１〜Ｓ２３と同様であり、説明を省略する。本実施例２が実施例１とは異なる点は、Ｓ３３に引続き、ＰＣをシャットダウンして、ＰＣから画像信号の入力が無くなった後、電源キーをわざわざ押下しなくても自動的にプロジェクタの電源をオフするモード機能を付加したことであり、Ｓ３４からのフローを以下に説明する。
【００３３】
Ｓ３４では、図８（ｂ）に示すような、ＰＣから画像信号の入力が無くなった後、自動的にプロジェクタの電源をオフするモードを選択するか否かをユーザに尋ねる旨の警告メッセージを、再度、投射画像上に重ねて表示させる。その後、ユーザは、操作キー１４またはリモコン１６を用いて、モード選択を行うか否かを入力する。
【００３４】
Ｓ３５では、Ｓ３４でユーザによりモード選択を行うことが入力された場合、同期信号検出部４内の入力信号確認部により画像信号の入力の有無が再度確認され、画像信号の入力が無いことが確認されてから、プロジェクタの電源を自動的にオフする。
【００３５】
［実施例３］
本実施例３は、上記実施例１の変形例であり、実施例１と異なる点は、プロジェクタへ画像信号を出力する画像出力装置がＰＣである場合、ＵＳＢ（Ｕｎｉｖｅｒｓａｌ  Ｓｅｒｉａｌ  Ｂｕｓ）等のコマンド通信ラインを用いて、ＰＣをシャットダウンさせ、その後、プロジェクタの電源をオフする機能を付加したことである。
【００３６】
まず、図７を用いて、実施例３に係る投射型表示システムの構成を説明する。
【００３７】
図７において、プロジェクタ１とＰＣ１９は２つのラインで接続されている。プロジェクタ１の画像入力端子１７とＰＣ１９の画像出力端子２０はＶＧＡケーブル２１等で接続され、ＰＣ１９からプロジェクタ１へ画像信号が送信される。また、プロジェクタ１側にはＵＳＢインターフェース２３、ＰＣ１９側にはＵＳＢホストコントローラ２２が装備されており、両者はＵＳＢケーブル２４で接続され、ＰＣ１９とプロジェクタ１の間でコマンドの送受信が行われる。
【００３８】
次に、図４を用いて、実施例３に係るプロジェクタ側の電源オフ動作を説明する。
【００３９】
最初に電源キーを押下してから警告メッセージが表示されるまでのステップ（Ｓ４１〜Ｓ４３）は、上記実施例１におけるＳ２１〜Ｓ２３と同様であり、説明を省略する。
【００４０】
Ｓ４４では、画像信号の入力周期に基づいて、画像信号がＰＣから出力されたものか否かを判定する。すなわち、フレームレートが５０〜９０Ｈｚ程度である場合、画像信号はＰＣによるものであると判定する。さらに、画像信号がシンクオングリーン信号である（画像信号のうち緑（Ｇ）信号に同期信号が含まれている）場合、画像信号はＰＣによるものであると判定しても良い。ここで、画像信号がＰＣによるものではない場合には、電源オフの最終確認（ＳＳ４１）へ移行する。
【００４１】
一方、入力信号がＰＣである場合には、図８（ｃ）に示すような、コマンド通信ラインを用いてプロジェクタ１側からＰＣ１９をシャットダウンさせるリクエストを出力するか否かを尋ねる旨の警告メッセージをＯＳＤ処理で表示させる（Ｓ４５）。その後、ユーザは、操作キー１４またはリモコン１６を用いて、シャットダウンのリクエストを出力するか否かを選択する。
【００４２】
ユーザがシャットダウンのリクエストを出力することを選択した場合、プロジェクタ１はＰＣ１９へシャットダウンのリクエストをＵＳＢ送信する（Ｓ４６）。ＰＣ１９側のＵＳＢホストコントローラ２２は、そのリクエストを受信し、ＰＣ１９のシャットダウンを行うことになる。一方、ユーザがシャットダウンのリクエストを出力しないことを選択した場合には、電源オフの最終確認（ＳＳ４１）へ移行する。
【００４３】
プロジェクタ１側では、シャットダウンのリクエストを出力した後、同期信号検出部４内の入力信号確認部により画像信号の入力の有無が再度確認されてから（Ｓ４７）自動的に電源がオフされる。
【００４４】
すなわち、同期信号がなくなったことを条件にプロジェクタ１も自動的にオフされる。ＰＣ１９のシャットダウンをプロジェクタ１から行わないと選択された場合には、電源オフの最終確認へ移る。
【００４５】
また次に、図６を用いて、実施例３に係るＰＣ側の電源オフ動作を説明する。
【００４６】
プロジェクタ１とＵＳＢ接続されたＰＣ１９側では、ＰＣ１９のキーボード操作やマウス操作、または、プロジェクタ１からのシャットダウンのリクエストを受付けた（ポーリング）際、シャットダウンが行われる。
【００４７】
なお、本実施例３では、コマンド通信ラインとしてＵＳＢを用いたが、この代わりに、ＲＳ２３２Ｃ等の通信手段も用いても良い。
【００４８】
［実施例４］
図５は、実施例４に係る電源オフ処理動作フローを示す図である。
【００４９】
本実施例４は、上記実施例２で説明した機能、および、上記実施例３で説明した機能の両者を備えたものであり、詳細な説明については省略する。
【００５０】
【発明の効果】
以上説明したように、本発明によれば、ＰＣ（コンピュータ）よりも先にプロジェクタ（投射型表示装置）の電源がオフされてしまうという事態を防止することができる。
【図面の簡単な説明】
【図１】実施例１に係るプロジェクタの構成図。
【図２】実施例１に係る電源オフ処理動作フロー。
【図３】実施例２に係る電源オフ処理動作フロー。
【図４】実施例３に係るプロジェクタ側の電源オフ処理動作フロー。
【図５】実施例４に係る電源オフ処理動作フロー。
【図６】実施例３に係るＰＣ側の電源オフ処理動作フロー。
【図７】実施例３に係る投射型表示システムの構成図。
【図８】（ａ）ＰＣ入力が有ることを知らせるメッセージ例、（ｂ）ＰＣ入力が無くなった後の自動的にプロジェクタ電源オフのモード選択を尋ねるメッセージ例、（ｃ）プロジェクタがわからＰＣシャットダウンのリクエストを出力させるか否かの選択を尋ねるメッセージ例。
【図９】従来技術における電源オフ処理動作フロー。
【符号の説明】
１  プロジェクタ
２  ＣＰＵ
３  画像信号処理部
４  同期信号検出部
５  ＯＳＤメモリ部
６  ＯＳＤ処理部
７  液晶パネル駆動部
８  液晶パネル
９  電源供給部
１０  バラスト
１１  放電ランプ
１２  投射レンズ
１３  スクリーン
１４  操作キー
１５  ＩＲ
１６  リモコン
１７  画像入力端子
１８  電源プラグ
１９  ＰＣ
２０  画像出力端子
２１  ＶＧＡケーブル
２２  ＵＳＢホストコントローラ
２３  ＵＳＢインターフェース
２４  ＵＳＢケーブル
【図１】
2005031413.tif 000003
【図２】
2005031413.tif 000004
【図３】
2005031413.tif 000005
【図４】
2005031413.tif 000006
【図５】
2005031413.tif 000007
【図６】
2005031413.tif 000008
【図７】
2005031413.tif 000009
【図８】
2005031413.tif 000010
【図９】
2005031413.tif 000011